(57)【特許請求の範囲】
【請求項１】
透液性表面シートと不透液性裏面シートとの間に吸収体が介在された吸収性物品において、
前記吸収性物品の前方側の肌当接面に、平面視で、吸収性物品の前端側に膨出する湾曲線からなる内側曲線と、この内側曲線よりも前端側に位置し、吸収性物品の前端側に膨出する湾曲線からなるとともに、両端が前記内側曲線の両端にそれぞれ接続する外側曲線とにより区画された閉領域部分を肌当接面側から窪ませた凹面状の低圧搾部が形成されるとともに、前記低圧搾部内に、前記内側曲線及び外側曲線に沿ってそれぞれ離散的に複数の高圧搾部が形成され、前記内側曲線に沿って形成された前記高圧搾部は、前記内側曲線の全長に亘って配置され、前記外側曲線に沿って形成された前記高圧搾部は、前記外側曲線の中央部であって外側曲線全長の３０〜７０％の長さ範囲に配置され、前記外側曲線の両端部には配置されないことを特徴とする吸収性物品。
【請求項２】
前記低圧搾部は、平面形状が三日月形状を成している請求項１記載の吸収性物品。
【請求項３】
前記外側曲線に沿って形成された前記高圧搾部のうち、吸収性物品の幅方向中央に配置された高圧搾部は、前記高圧搾部の中で最大の面積を有している請求項１、２いずれかに記載の吸収性物品。
【請求項４】
前記外側曲線に沿って形成された前記高圧搾部は、一方向に長い平面形状を有するとともに、長軸方向が吸収性物品の長手方向線に対して斜めに傾斜して配置されたものを含んでいる請求項１〜３いずれかに記載の吸収性物品。
【請求項５】
前記内側曲線に沿って形成された前記高圧搾部のうち、前記外側曲線に沿って形成された隣り合う高圧搾部の間隔が大きな部分に対応する位置に配置された高圧搾部は、その間隔に応じて相対的に大きな面積で形成されている請求項１〜４いずれかに記載の吸収性物品。
【請求項６】
前記低圧搾部よりも吸収性物品の後端側に間をあけて、両側部にそれぞれ長手方向に沿って左右対の長手方向圧搾溝が形成されるとともに、前記低圧搾部の両端の延長線上に前記長手方向圧搾溝の前端部が位置している請求項１〜５いずれかに記載の吸収性物品。
【請求項７】
前記内側曲線に沿って形成された前記高圧搾部の面積の合計と、前記外側曲線に沿って形成された前記高圧搾部の面積の合計とが同等である請求項１〜６いずれかに記載の吸収性物品。
【請求項８】
前記吸収性物品の後方側の肌当接面に、平面視で、吸収性物品の後端側に膨出する湾曲線からなる後方内側曲線と、この後方内側曲線よりも後端側に位置し、吸収性物品の後端側に膨出する湾曲線からなるとともに、両端が前記後方内側曲線の両端にそれぞれ接続する後方外側曲線とにより区画された閉領域部分を肌当接面側から窪ませた凹面状の後方低圧搾部が形成されるとともに、前記後方低圧搾部内に、前記後方内側曲線及び後方外側曲線に沿ってそれぞれ離散的に複数の後方高圧搾部が形成され、前記後方内側曲線に沿って形成された前記後方高圧搾部は、前記後方内側曲線の全長に亘って配置され、前記後方外側曲線に沿って形成された前記後方高圧搾部は、前記後方外側曲線の中央部に配置され、前記後方外側曲線の両端部には配置されない請求項１〜７いずれかに記載の吸収性物品。
【発明の詳細な説明】
【技術分野】
【０００１】
本発明は、主には生理用ナプキン、おりものシート、失禁パッド、トイレタリー等に使用される吸収性物品であって、詳しくは肌当接面側から窪ませた平面視で略三日月形状の圧搾部が形成された吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、体液漏れを防止するとともに、装着時に身体の形状に沿って吸収性物品を変形しやすくする等のため、肌当接面側から非肌側に向けて窪ませた圧搾部を種々の形態で形成する技術が存在する。
【０００４】
例えば、下記特許文献１では、吸収体の後部側に前部側に向かう円弧状のエンボス溝を形成する技術が提案されている。また、下記特許文献２では、前方領域に幅方向に延びる前方圧搾溝と、排泄部対向領域における長手方向に沿う両側部に長手方向に延びる一対の縦圧搾溝とを有し、前記前方圧搾溝及び各縦圧搾溝は、幅方向内側に向かって括れる括れ部を形成しながら連接されており、前記前方圧搾溝は、幅方向中央部にて後方側に向かって窪んだ窪み部を有している吸収性物品が提案されている。
【先行技術文献】
【特許文献】
【０００５】
【特許文献１】特開平１１−１１３９５５号公報
【特許文献２】特開２０１５−９７７１９号公報
【発明の概要】
【発明が解決しようとする課題】
【０００６】
上記特許文献１記載のものでは、円弧状のエンボス溝を基点として吸収性物品が長手方向に変形することにより、身体の前後方向の丸みに沿いやすくなると考えられるが、身体の幅方向の丸みに沿った変形については何ら考慮されておらず、身体へのフィット性が不十分で、ヨレや漏れが発生するおそれがあった。
【０００７】
また、上記特許文献２に記載された吸収性物品では、前方圧搾溝が、右斜め前方に凸状に突出した円弧状の右凸部圧搾溝と、左斜め前方に凸状に突出した円弧状の左凸部圧搾溝とを有し、右凸部圧搾溝及び左凸部圧搾溝は、中心線にてＶ字状に窪んだ窪み部にて交差し連接されているため、この窪み部を基点として中央部が幅方向に折れ曲がることにより、前方部に縦方向のシワが生じやすかった。また、左右にそれぞれ斜め前方に凸状に突出した円弧状の凸部圧搾溝が形成されているため、この圧搾溝によって前方両側部の剛性が高められ、前方両側部が身体の幅方向の丸みに沿って変形しにくくなると考えられる。このため、肌面との間に隙間が生じてヨレや漏れの原因になるおそれがある。
【０００８】
そこで本発明の主たる課題は、身体の形状に沿って変形しやすくするとともに、ヨレや漏れが発生しにくい吸収性物品を提供することにある。
【課題を解決するための手段】
【０００９】
上記課題を解決するために請求項１に係る本発明として、透液性表面シートと不透液性裏面シートとの間に吸収体が介在された吸収性物品において、
前記吸収性物品の前方側の肌当接面に、平面視で、吸収性物品の前端側に膨出する湾曲線からなる内側曲線と、この内側曲線よりも前端側に位置し、吸収性物品の前端側に膨出する湾曲線からなるとともに、両端が前記内側曲線の両端にそれぞれ接続する外側曲線とにより区画された閉領域部分を肌当接面側から窪ませた凹面状の低圧搾部が形成されるとともに、前記低圧搾部内に、前記内側曲線及び外側曲線に沿ってそれぞれ離散的に複数の高圧搾部が形成され、前記内側曲線に沿って形成された前記高圧搾部は、前記内側曲線の全長に亘って配置され、前記外側曲線に沿って形成された前記高圧搾部は、前記外側曲線の中央部であって外側曲線全長の３０〜７０％の長さ範囲に配置され、前記外側曲線の両端部には配置されないことを特徴とする吸収性物品が提供される。
【００１０】
上記請求項１記載の発明では、前記内側曲線の全長に亘って配置された高圧搾部によって内側曲線が全長に亘って高剛性化されるとともに、前記外側曲線の中央部であって外側曲線全長の３０〜７０％の長さ範囲に配置された高圧搾部によって外側曲線の中央部が高剛性化されるため、これらの高剛性化した曲線部分を基点として吸収性物品が長手方向に湾曲しやすくなり、前記内側曲線に沿って前側が立ち上がることにより、身体の前後方向の丸みに沿って変形しやすくなる。また、外側曲線の両端部には前記高圧搾部が配置されていないため、前記高圧搾部が形成された領域に比べ相対的に剛性が低下するので、前記低圧搾部より前方側の両側部が肌側に湾曲しやすくなり、吸収性物品の前方部が身体の幅方向の丸みに沿って変形しやすくなる。このように吸収性物品の前方側が身体の前後方向の丸み及び幅方向の丸みに沿って変形しやすくなるため、吸収性物品が肌面にフィットしてヨレや漏れが発生にくくなる。
【００１１】
また、吸収性物品が身体の幅方向の丸みに沿って変形したとき幅方向中央部に長手方向に沿って縦ジワが入りやすくなるが、本発明に係る吸収性物品では、前記外側曲線の中央部に高圧搾部が集中して配置されているため、この縦ジワの発生を抑えることができ、装着感を良好に保つことができる。
【００１２】
また、前記高圧搾部は内側曲線及び外側曲線に沿ってそれぞれ離散的に複数配置してあるため、高圧搾部によって硬化した部分の装着時の違和感が軽減できるとともに、吸収性物品が身体の前後方向の丸みに沿って変形するのに加えて、高圧搾部同士に間隔が設けられているため身体の幅方向の丸みに沿って変形しやすくなる。
【００１３】
請求項２に係る本発明として、前記低圧搾部は、平面形状が三日月形状を成している請求項１記載の吸収性物品が提供される。
【００１４】
上記請求項２記載の発明では、前記低圧搾部の平面形状が三日月形状で形成されているため、この低圧搾部によって、幅方向中央部の剛性が高く、幅方向両側部の剛性が低く形成されるようになる。このため、吸収性物品が身体の幅方向の丸みに沿って変形しやすくなる。
【００１５】
請求項３に係る本発明として、前記外側曲線に沿って形成された前記高圧搾部のうち、吸収性物品の幅方向中央に配置された高圧搾部は、前記高圧搾部の中で最大の面積を有している請求項１、２いずれかに記載の吸収性物品が提供される。
【００１６】
上記請求項３記載の発明では、前記外側曲線に沿って形成された高圧搾部のうち、吸収性物品の幅方向中央に配置された高圧搾部が最大面積を有するようにしているため、この最大面積の高圧搾部を基点として、両側部が身体の幅方向の丸みに沿って変形しやすくなる。
【００１７】
請求項４に係る本発明として、前記外側曲線に沿って形成された前記高圧搾部は、一方向に長い平面形状を有するとともに、長軸方向が吸収性物品の長手方向線に対して斜めに傾斜して配置されたものを含んでいる請求項１〜３いずれかに記載の吸収性物品が提供される。
【００１８】
上記請求項４記載の発明では、前記外側曲線に沿って形成された高圧搾部として、一方向に長い平面形状を有するとともに、長軸方向が吸収性物品の長手方向線に対して斜めに傾斜して配置されたものが含まれるようにしている。この高圧搾部の長軸方向を吸収性物品の幅方向に一致させないことにより、この高圧搾部によって身体の幅方向に沿って湾曲するのが妨げられるのを防止するとともに、この高圧搾部の長軸方向を吸収性物品の長手方向に一致させないことにより、この高圧搾部を基点として吸収性物品に縦ジワが入るのを防止している。
【００１９】
請求項５に係る本発明として、前記内側曲線に沿って形成された前記高圧搾部のうち、前記外側曲線に沿って形成された隣り合う高圧搾部の間隔が大きな部分に対応する位置に配置された高圧搾部は、その間隔に応じて相対的に大きな面積で形成されている請求項１〜４いずれかに記載の吸収性物品が提供される。
【００２０】
上記請求項５記載の発明では、前記内側曲線に沿って形成された高圧搾部のうち、前記外側曲線に沿って形成された隣り合う高圧搾部同士の間隔が大きな部分に対応する位置に配置された高圧搾部は、その間隔に応じて相対的に大きくするのが好ましく、これによって低圧搾部内での内側曲線に沿って形成された高圧搾部による剛性と、外側曲線に沿って形成された高圧搾部による剛性とが互いに補間しあって、余計なシワが入るのが防止できる。
【００２１】
請求項６に係る本発明として、前記低圧搾部よりも吸収性物品の後端側に間をあけて、両側部にそれぞれ長手方向に沿って左右対の長手方向圧搾溝が形成されるとともに、前記低圧搾部の両端の延長線上に前記長手方向圧搾溝の前端部が位置している請求項１〜５いずれかに記載の吸収性物品が提供される。
【００２２】
上記請求項６記載の発明では、前記低圧搾部よりも吸収性物品の後端側に間をあけて、両側部にそれぞれ長手方向に沿って左右対の長手方向圧搾溝を形成した場合において、前記低圧搾部の両端の延長線上に長手方向圧搾溝の前端部を位置している。これによって、前記長手方向圧搾溝が低圧搾部の両端の延長線上にない場合に発生しやすくなる縦ジワが防止できるとともに、前記内側曲線に沿って吸収性物品が湾曲しやすくなる。
【００２３】
請求項７に係る本発明として、前記内側曲線に沿って形成された前記高圧搾部の面積の合計と、前記外側曲線に沿って形成された前記高圧搾部の面積の合計とが同等である請求項１〜６いずれかに記載の吸収性物品が提供される。
【００２４】
上記請求項７記載の発明では、前記内側曲線に沿って形成された高圧搾部と前記外側曲線に沿って形成された高圧搾部とを同等の合計面積とすることによって、内側曲線と外側曲線のいずれかの剛性が高くなることなく、同等の剛性となるので、低圧搾部が身体の丸みにフィットしやすくなる。
【００２５】
請求項８に係る本発明として、前記吸収性物品の後方側の肌当接面に、平面視で、吸収性物品の後端側に膨出する湾曲線からなる後方内側曲線と、この後方内側曲線よりも後端側に位置し、吸収性物品の後端側に膨出する湾曲線からなるとともに、両端が前記後方内側曲線の両端にそれぞれ接続する後方外側曲線とにより区画された閉領域部分を肌当接面側から窪ませた凹面状の後方低圧搾部が形成されるとともに、前記後方低圧搾部内に、前記後方内側曲線及び後方外側曲線に沿ってそれぞれ離散的に複数の後方高圧搾部が形成され、前記後方内側曲線に沿って形成された前記後方高圧搾部は、前記後方内側曲線の全長に亘って配置され、前記後方外側曲線に沿って形成された前記後方高圧搾部は、前記後方外側曲線の中央部に配置され、前記後方外側曲線の両端部には配置されない請求項１〜７いずれかに記載の吸収性物品が提供される。
【００２６】
上記請求項８記載の発明では、吸収性物品の後方側にも同様に低圧搾部を設けることにより、後方部分を身体の丸みに沿って変形しやすくし、後方部分のヨレや漏れを防止している。
【発明の効果】
【００２７】
以上詳説のとおり本発明によれば、身体の形状に沿って変形しやすくなるとともに、ヨレや漏れが発生しにくい吸収性物品が提供できるようになる。
【図面の簡単な説明】
【００２８】
【図１】本発明に係る生理用ナプキン１の一部破断展開図である。
【図２】図１のII−II線矢視図である。
【図３】図１のIII−III線矢視図である。
【図４】低圧搾部１０の拡大平面図である。
【図５】人体の股間部の正面側斜視図である。
【図６】装着時の変形状態を示す生理用ナプキン１の斜視図である。
【図７】本発明に含まれない圧搾溝の拡大平面図である。
【図８】他の形態例に係る生理用ナプキン１の展開図である。
【発明を実施するための形態】
【００２９】
以下、本発明の実施の形態について図面を参照しながら詳述する。
【００３０】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００３１】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００３２】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３３】
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３４】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３５】
図１及び図２に示されるように、前記吸収体４の体液排出部Ｈに対応する部位を含む領域に、肌側に増厚された吸収体の中高部６を設けるのが好ましい。前記中高部６は、吸収体４の肌側面に隣接するとともに、吸収体４の幅方向中央部に配置され、吸収体４より幅寸法及び長手寸法が小さく形成されている。前記中高部６の厚みは、厚すぎると剛性が上がり身体への密着性が低下するし、薄すぎると体液排出部Ｈとの密着性が低下するため３〜２５mm、好ましくは５〜１８mmとするのがよい。
【００３６】
前記中高部６は、少なくとも着用者の体液排出部Ｈに対応する部位を含む領域に配置されている。この中高部６は、体液排出部Ｈに対応する部位を含む領域から臀部溝に対応する部位を含む領域にかけて連続する細長形状に形成してもよいし、体液排出部Ｈに対応する部位を含む領域のみに配置し、これより後側の臀部溝に対応する部位を含む領域には配置しないようにしてもよい。
【００３７】
前記中高部６を、体液排出部Ｈに対応する部位を含む領域から臀部溝に対応する部位を含む領域にかけて連続する細長形状に形成した場合、体液排出部Ｈに対応する部位の後方に、両側の外形線が幅方向内側に膨出して形成された幅狭部を設けるのが好ましい。幅狭部を設けることにより、着用者の体液排出部Ｈの後端から臀部溝の開始位置にかけての肌面に形成される細かな凹凸にもフィットしやすくなり、肌面との密着性が向上できる。
【００３８】
前記中高部６は、少なくともパルプ繊維と合成繊維とを含むとともに、前記パルプ繊維：合成繊維の比率を重量換算で８０〜２０：２０〜８０、好ましくは４０〜６０：６０〜４０で混合したものが望ましい。また、前記中高部６は吸水性ポリマーを含有することができる。前記吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する吸水性ポリマーは製造プロセスにおいて、架橋密度および架橋密度勾配を調整することにより吸水力と吸水速度の調整が可能である。配合量は中高部６が吸収体４側への浸透を促進する必要上、配合量を多くすると所謂ゲルブロッキング現象が起きるため、パルプ繊維及び合成繊維の合計重量に対して重量換算で１〜１０％の割合で配合するのが望ましい。なお、吸水性ポリマー含有率が５０％を超える場合にはパルプ繊維間の絡み合いが無くなり、シート強度が低下し破れや割れ等が発生し易くなるため望ましくない。
【００３９】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００４０】
前記サイド不織布７は、図２及び図３に示されるように、幅方向中間部より外側部分を所定の内側位置から不透液性裏面シート２の外縁までの範囲に亘ってホットメルトなどの接着剤によって接着し、これら前記サイド不織布７と不透液性裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。
【００４１】
一方、前記サイド不織布７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着されることによって、図２に示されるように、外側に傾斜しながら表面側に起立する直線状の立体ギャザーＢＳ、ＢＳが左右対で形成されている。
【００４２】
〔圧搾部について〕
本生理用ナプキン１では、生理用ナプキン１の前方側の肌当接面に、透液性表面シート３の外面側から窪ませた凹面状の低圧搾部１０が形成されている。この低圧搾部１０は、詳細には図４に示されるように、平面視で、生理用ナプキン１の前端側に膨出する湾曲線からなる内側曲線１２と、この内側曲線１２よりも生理用ナプキン１の前端側に位置し、生理用ナプキン１の前端側に膨出する湾曲線からなるとともに、両端が前記内側曲線１２の両端にそれぞれ接続する外側曲線１３とにより区画された閉領域部分を肌当接面側（透液性表面シート３の外面側）から非肌側（不透液性裏面シート２側）に向けて窪ませたものである。前記低圧搾部１０内には、前記内側曲線１２及び外側曲線１３に沿ってそれぞれ離散的に複数の高圧搾部１１、１１…が形成されている。前記内側曲線１２に沿って形成された高圧搾部１１…（１４…）は、内側曲線１２の全長に亘って配置され、前記外側曲線１３に沿って形成された高圧搾部１１…（１５…）は、外側曲線１３の中央部に配置され、外側曲線１３の両端部には配置されないようになっている。
【００４３】
前記低圧搾部１０は、前記内側曲線１２及び外側曲線１３により区画され、平面形状が生理用ナプキン１の略幅方向に沿うとともに、中央部が生理用ナプキン１の前端側に膨出する三日月形状を成している。すなわち、前記低圧搾部１０は、生理用ナプキン１の長手方向中心線ＣＬに対して左右対称に形成されるとともに、この長手方向中心線ＣＬ上に、前記内側曲線１２と外側曲線１３とのナプキン長手方向の離間距離が最大となる部分が位置し、生理用ナプキン１の両側部に向かうに従って、前記離間距離が徐々に小さくなるように形成されている。
【００４４】
前記低圧搾部１０のナプキン幅方向寸法Ｂは、両側のサイド不織布７、７の離間距離より小さく形成されるとともに、吸収体幅に対して４０〜８０％、好ましくは５０〜７０％で形成されている。幅寸法Ｂが吸収体幅に対して４０％未満である場合には、吸収体４が変形する際に低圧搾部１０が基点として作用しにくく、幅寸法Ｂが吸収体幅の８０％を超える場合には、前記低圧搾部１０によって吸収体４が硬くなりすぎて装着時の違和感が生じるようになる。
【００４５】
また、生理用ナプキン１の長手方向中心線ＣＬ上におけるナプキン長手方向寸法Ｌは、５〜２０ｍｍ、好ましくは１０〜１５ｍｍとするのが望ましい。長手寸法Ｌが５ｍｍ未満である場合には、低圧搾部１０により剛性を高める効果が得られにくく、長手寸法Ｌが２０ｍｍを超える場合には、吸収体４が硬くなりすぎて装着時に違和感を感じるようになる。
【００４６】
前記低圧搾部１０は、着用者の体液排出部Ｈに対応する部位より前端側、具体的には前記中高部６の前端よりも前端側、より具体的には両側部に形成されたウイング状フラップＷよりも前端側であって、吸収体４の前端までの間に形成されている。これにより、生理用ナプキン１が、前記低圧搾部１０を基点として、着用者の股間部よりも前端側の身体の前側部分の丸みに沿って変形できるようになる。
【００４７】
前記低圧搾部１０と吸収体４の前端との離間距離Ｙは、５〜３０ｍｍ、好ましくは１０〜２０ｍｍとするのがよい。前記離間距離Ｙが５ｍｍ未満である場合には、低圧搾部１０を基点として吸収体４の前端部分を変形させる効果が得られにくく、離間距離Ｙが３０ｍｍを超える場合には、低圧搾部１０より前端側にシワやヨレが発生しやすくなる。
【００４８】
前記高圧搾部１１、１１…は、前記内側曲線１２と外側曲線１３とにより区画された低圧搾部１０内に形成されるとともに、前記低圧搾部１０より圧搾深さが深く形成されたドット状の圧搾部である。前記高圧搾部１１…は、内側曲線１２及び外側曲線１３に沿ってそれぞれ配置されている。前記高圧搾部１１が内側曲線１２又は外側曲線１３に沿って配置されるとは、高圧搾部１１の周縁が内側曲線１２又は外側曲線１３に接するように配置されるか、各曲線１２、１３に接していなくても低圧搾部１０の内側曲線１２と外側曲線１３との離間部分の中央に沿って引いた中心線を境に、各曲線側に配置されることを意味する。ただし、内側曲線１２に沿って形成された高圧搾部１４…のうち、内側曲線１２の両端部に配置された高圧搾部１４ａは、外側曲線１３との離間距離が短いため、低圧搾部１０の中心線より外側曲線１３側にはみ出ている場合があるが、この場合でも内側曲線１２に接するように配置されたものが、内側曲線１２に沿って形成された高圧搾部１１である。
【００４９】
前記低圧搾部１０は、図４に示されるように、内側曲線１２のほぼ全長に亘って複数の高圧搾部１４、１４…が離散的に配置された内側の高圧搾部配置領域１６と、外側曲線１３の中央部に集中して複数の高圧搾部１５、１５…が離散的に配置された外側の高圧搾部配置領域１７と、外側曲線１３の両側部にそれぞれ高圧搾部が配置されない高圧搾部非存在領域１８とに画成されている。
【００５０】
前記内側の高圧搾部配置領域１６において、隣り合う高圧搾部１４、１４の内側曲線１２に沿った離間距離は、ほぼ等間隔とするか、最も小さな離間距離と最も大きな離間距離との比が３倍以下、好ましくは２．５倍以下するのがよい。これにより、内側曲線１２のほぼ全長に亘ってほぼ均等に前記高圧搾部１４…による剛性の強化ができるようになる。
【００５１】
前記内側曲線１２に沿って形成された高圧搾部１４…の数は、４〜２０個、好ましくは６〜１４個とするのがよい。前記内側曲線１２に沿って形成された高圧搾部１４は、図４に示されるように、生理用ナプキン１の長手方向中心線ＣＬ上には配置せず、この中心線ＣＬの両側に左右対称に配置するのが好ましい。
【００５２】
一方、前記高圧搾部配置領域１７の外側曲線１３に沿う長さは、外側曲線１３の全長の３０〜７０％、好ましくは４０〜６０％とするのがよい。高圧搾部配置領域１７の長さが外側曲線１３全長の３０％未満では、前記高圧搾部１５による十分な増強効果が望めないとともに、前記長さが外側曲線１３全長の７０％を超えると、両側部の高圧搾部非存在領域１８が小さくなりすぎて、生理用ナプキン１の前方両側部の変形が生じにくくなる。
【００５３】
前記高圧搾部配置領域１７に配置される高圧搾部１５の数は、３〜１５個、好ましくは３〜７個とするのがよい。前記高圧搾部配置領域１７では、生理用ナプキン１の長手方向中心線ＣＬ上に高圧搾部１５が配置され、その両側に左右対称に１又は複数の高圧搾部１５が配置されるパターンとするのが好ましい。長手方向中心線ＣＬ上に高圧搾部１５を配置することにより、この中央の高圧搾部１５を基点として、両側が幅方向に湾曲しやすくなり、身体の形状にフィットするようになる。
【００５４】
前記内側曲線１２に沿って形成された高圧搾部１４と、前記外側曲線１３に沿って形成された高圧搾部１５とは、内側曲線１２及び外側曲線１３の半径方向にできる限り重ならない位置に互い違いに配置するのが好ましい。これにより、これらの高圧搾部１４、１５を半径方向に重なる位置に配置した場合の縦ジワの発生などが防止できるようになる。なお、前記高圧搾部１４と１５は、半径方向に一部が重なったり、若干の隙間が生じても構わない。
【００５５】
以上の構成からなる生理用ナプキン１では、図５及び図６に示されるように、内側曲線１２に沿って形成された高圧搾部１４によって内側曲線１２が全長に亘って高剛性化されるとともに、外側曲線１３に沿って形成された高圧搾部１５によって外側曲線１３の中央部が高剛性化されるため、これらの高剛性化した曲線部分を基点として、生理用ナプキン１が長手方向に湾曲しやすくなり、前記内側曲線１２に沿って前側が立ち上がることにより、身体の前後方向の丸みに沿って変形しやすくなる。また、外側曲線１３の両端部には、前記高圧搾部１５が配置されない高圧搾部非存在領域１８が設けられているため、中央部の高圧搾部配置領域１７に比べて相対的に剛性が低下し、生理用ナプキン１の前記低圧搾部１０より前方側の両側部が肌側に湾曲しやすくなり、身体の幅方向の丸みに沿って変形しやすくなる。このように生理用ナプキン１の前方側が身体の前後方向の丸み及び幅方向の丸みに沿って変形しやすくなるため、生理用ナプキン１が肌面にフィットしてヨレや漏れが発生しにくくなる。
【００５６】
また、生理用ナプキン１が身体の幅方向の丸みに沿って変形したとき、幅方向中央部に長手方向に沿って縦ジワが入りやすくなるが、本生理用ナプキン１では、外側曲線１３の中央部に前記高圧搾部配置領域１７を設けているため、幅方向中央部が高圧搾部配置領域１７の高圧搾部１５によって補強され、縦ジワの発生を抑えることができ、装着感を良好に保つことができるようになる。
【００５７】
また、前記高圧搾部１１は、内側曲線１２及び外側曲線１３に沿ってそれぞれ離散的に配置されているため、高圧搾部１１によって剛性が高められたことによる装着時の違和感が軽減できるとともに、生理用ナプキン１が身体の前後方向の丸みに沿って変形するのに加えて、身体の幅方向の丸みに沿って変形しやすくなる。
【００５８】
図４に示されるように、前記外側曲線１３に沿って形成された高圧搾部１５…のうち、生理用ナプキン１の長手方向中心線ＣＬ上に配置された高圧搾部１５ａは、低圧搾部１０内に形成された全ての高圧搾部１１…の中で最大の面積を有しているのが好ましい。これにより、この最大面積の高圧搾部１５ａを基点として、両側部が身体の幅方向の丸みに沿って変形しやすくなる。この最大面積の高圧搾部１５ａの面積としては、最も小さな高圧搾部１１の面積の５倍〜１０倍程度とするのが好ましい。
【００５９】
また、前記最大面積の高圧搾部１５ａは、図４に示されるように、多角形状や星形、花形など外方側に突出した複数の凸部を有する平面形状（図示例では星形）で形成するのが好ましく、このときの高圧搾部１５ａの配置は、外側曲線１３の中央に凸部が接するようにすると、この最大面積の高圧搾部１５ａの外側曲線１３に接した凸部を基点として幅方向中央部から両側部がそれぞれ湾曲変形しやすくなるので好ましい。
【００６０】
図４に示されるように、前記外側曲線１３に沿って形成された高圧搾部１５は、一方向に長い平面形状を有するとともに、長軸方向が生理用ナプキン１の長手方向線（長手方向中心線ＣＬ）に対して斜めに傾斜して配置された高圧搾部１５ｂを含むようにするのが好ましい。この高圧搾部１５ｂは、幅方向中央部に配置された前記最大面積の高圧搾部１５ａの両側にそれぞれ配置するのがよい。この高圧搾部１５ｂの長軸方向を生理用ナプキン１の幅方向に一致させないことにより、この高圧搾部１５ｂが配置された部分の幅方向に沿う湾曲変形を妨げないとともに、この高圧搾部１５ｂの長軸方向を生理用ナプキン１の長手方向に一致させないことにより、この高圧搾部１５ｂを基点とした縦ジワが入るのが防止できる。
【００６１】
前記高圧搾部１５ｂの配置は、図示例のように、幅方向内側が生理用ナプキン１の中心側に傾斜するように配置するのが好ましい。このときの前記高圧搾部１５ｂの長軸と生理用ナプキン１の長手方向中心線ＣＬとの成す角度αは、３０〜６０°、特に４０〜５０°とするのが好ましい。このように配置された高圧搾部１５ｂを幅方向中央の両側に設けることによって、この高圧搾部１５ｂを基点として低圧搾部１０領域が幅方向に沿って更に湾曲しやすくなる。
【００６２】
前記高圧搾部１５ｂの平面形状は、雫形、長円、楕円、長方形など一方向に長い平面形状を有するものであればいずれでもよいが、図示例のように長軸方向の一方側が他方側より幅広に形成された雫形とするのが好ましい。このとき、図示例のように、幅広に形成された一方側を外側曲線１３に近い側（生理用ナプキン１の前端側）に向けて配置すると、外側曲線１３側に力が作用しやすく、生理用ナプキン１が外側曲線１３に沿って湾曲しやすくなる。
【００６３】
一方、内側曲線１２に沿って形成された高圧搾部１４…は、全長に亘ってほぼ同等の面積で形成してもよいし、図４に示されるように、一部が相対的に大きな面積で形成されるようにしてもよい。具体的には、前述の通り、内側曲線１２に沿って形成された高圧搾部１４は、外側曲線１３に沿って形成された高圧搾部１５と、内側曲線１２及び外側曲線１３の半径方向に重ならない位置に配置され、外側曲線１３に沿って形成された隣り合う高圧搾部１５、１５の離間部分にほぼ一致して配置されているが、内側曲線１２に沿って形成された高圧搾部１４…のうち、外側曲線１３に沿って形成された隣り合う高圧搾部１５、１５の離間距離が大きな部分に対応する位置に配置された高圧搾部１４ｂは、その離間距離に応じて相対的に大きな面積で形成することができる。これによって、内側曲線１２及び外側曲線１３の半径方向に対して、高圧搾部１４、１５が配置されないことによる剛性が極端に低下した部分が形成されなくなるため、低圧搾部１０内での内側曲線１２に沿って形成された高圧搾部１４…による剛性と、外側曲線１３に沿って形成された高圧搾部１５…による剛性とが互いに補間しあって、余計なシワが入るのが防止できる。
【００６４】
本生理用ナプキン１では、図１に示されるように、前方側に形成された前記低圧搾部１０の他に、前記中高部６の近傍外側部位置に、透液性表面シート３の外面側から不透液性裏面シート２に向けて窪ませた圧搾溝を形成することができる。具体的に図１に示される例では、前記低圧搾部１０よりも生理用ナプキン１の後端側に間隔をあけて配置されるとともに、体液排出部Ｈに対応する部位を含む領域から臀部溝に対応する部位を含む領域にかけての両側部にそれぞれ、ナプキン１のほぼ長手方向に沿って連続して形成された前側長手方向圧搾溝２０、２０と、この前側長手方向圧搾溝２０の後側に離間して配置されるとともに、臀部溝の後端部分に対応する部位の両側部にそれぞれ、ナプキン１のほぼ長手方向に沿って連続して形成された後側長手方向圧搾溝２１、２１と、前記後側長手方向圧搾溝２１、２１の後側に離間して配置されるとともに、ナプキン１の長手方向中心線ＣＬを幅方向に横断し、かつ後方に向けて膨出する湾曲形状からなる後端湾曲形圧搾溝２２とから構成されている。これらの圧搾溝２０〜２２は、透液性表面シート３の外面側からの熱エンボスにより、透液性表面シート３から吸収体４にかけて一体的に圧搾したものである。
【００６５】
前記低圧搾部１０の後側に隣接して配置された前側長手方向圧搾溝２０、２０は、図４に示されるように、前端部が低圧搾部１０の両端の延長線Ｓ上に位置するように配置するのが望ましい。このように延長線Ｓ上に前側長手方向圧搾溝２０の前端部を配置すると、低圧搾部１０が身体の丸みに沿って変形した際の前記延長線Ｓに沿って発生するシワが抑えられるようになる。これに対して、図７に示されるように、前側長手方向圧搾溝２０の前端部が、低圧搾部１０の両端の延長線Ｓ上にない場合、図示例では前側長手方向圧搾溝２０の前端部が低圧搾部１０の両端の延長線Ｓより内側に配置された場合、身体の丸みに沿って変形した低圧搾部１０のシワが、この延長線Ｓに沿って発生しやすくなる。また、前記延長線Ｓに沿ってシワが発生することによって低圧搾部１０が変形しにくくなる。ここで、前記低圧搾部１０の両端の延長線Ｓとは、低圧搾部１０の内側曲線１２と外側曲線１３との離間部分の中央を通る中心線の低圧搾部１０両端での接線である。また、前記延長線Ｓ上に前側長手方向圧搾溝２０の前端部が位置するとは、前記延長線Ｓが前側長手方向圧搾溝２０の前端部の溝幅内を通ることを意味する。
【００６６】
次いで、前記内側曲線１２に沿って形成された高圧搾部１４…の面積の合計と、前記外側曲線１３に沿って形成された高圧搾部１５…の面積の合計とは、同等にするのが好ましい。これらの面積が同等とは、一方の面積が他方の面積の±５％以内、好ましくは±３％以内であることである。これによって、前記高圧搾部１４、１５によって高められた剛性が、内側曲線１２と外側曲線とで同等となるので、低圧搾部１０が身体の丸みに沿って変形しやすく、フィット性が向上するようになる。
【００６７】
〔他の形態例〕
上記形態例では、前記低圧搾部１０を生理用ナプキン１の前方側のみに設け、後方側には、後方に向けて膨出する湾曲形状からなる溝幅が一定の後端湾曲形圧搾溝２２を配置していたが、図８に示されるように、この後端湾曲形圧搾溝２２に代えて（図示例）、又はこの後端湾曲形圧搾溝２２の後方に離間して、平面視で、生理用ナプキン１の後端側に膨出する湾曲線からなる後方内側曲線３２と、この後方内側曲線３２よりも後端側に位置し、生理用ナプキン１の後端側に膨出する湾曲線からなるとともに、両端が前記後方内側曲線３２の両端にそれぞれ接続する後方外側曲線３３とにより区画された閉領域部分を肌当接面側から窪ませた凹面状の後方低圧搾部３０が形成されるとともに、前記後方低圧搾部３０内に、後方内側曲線３２及び後方外側曲線３３に沿ってそれぞれ離散的に複数の後方高圧搾部３１が形成され、前記後方内側曲線３２に沿って形成された前記後方高圧搾部３４は、前記後方内側曲線３２の全長に亘って配置され、前記後方外側曲線３３に沿って形成された後方高圧搾部３５は、前記後方外側曲線３３の中央部に配置され、前記後方外側曲線３３の両端部には配置されないこととしてもよい。これによって、生理用ナプキン１の後方側においても同様に、身体の前後方向の丸み及び幅方向の丸みに沿って変形しやすくなり、ヨレや漏れが発生しにくくなる。
【符号の説明】
【００６８】
１…生理用ナプキン、２…不透液性裏面シート、３…透液性表面シート、４…吸収体、５…被包シート、６…中高部、７…サイド不織布、９…糸状弾性伸縮部材、１０…低圧搾部、１１・１４・１５…高圧搾部、１２…内側曲線、１３…外側曲線、１６・１７…高圧搾部配置領域、１８…高圧搾部非存在領域、２０…前側長手方向圧搾溝、２１…後側長手方向圧搾溝、２２…後端湾曲形圧搾溝
【図１】
0006404269.tif 000002
【図２】
0006404269.tif 000003
【図３】
0006404269.tif 000004
【図４】
0006404269.tif 000005
【図５】
0006404269.tif 000006
【図６】
0006404269.tif 000007
【図７】
0006404269.tif 000008
【図８】
0006404269.tif 000009